(57)【特許請求の範囲】
【請求項１】
少なくとも交通機関経路を含むユーザの要求に基づく出発地から目的地までの経路情報を取得する経路情報取得手段と、
前記交通機関経路上の停車するステーション区間ごと／または乗り降りするステーション区間における前記ユーザ自身の過去の移動状況情報を取得する移動状況情報取得手段と、
前記ユーザの要求に基づく経路情報に前記移動状況情報を関連付けて推奨情報を出力する出力情報生成手段と、を備えたことを特徴とする情報処理システム。
【請求項２】
前記移動状況情報は、前記ユーザの要求に基づく経路を指定したユーザおよびその他の人間の少なくとも一方が過去に前記ユーザの要求に基づく経路内の前記交通機関経路を移動した際の移動状況の履歴情報を含むことを特徴とする請求項１に記載の情報処理システム。
【請求項３】
前記移動状況情報は、前記ユーザの要求に基づく経路を指定したユーザおよびその他の人間の少なくとも一方における、姿勢情報、生体情報および移動環境情報のうち少なくとも一つを含むことを特徴とする請求項２に記載の情報処理システム。
【請求項４】
前記姿勢情報は、前記ユーザの要求に基づく経路を指定したユーザおよびその他の人間の少なくとも一方が前記ユーザの要求に基づく経路で利用する乗物内で着席したか否かを示す情報を含むことを特徴とする請求項３に記載の情報処理システム。
【請求項５】
前記移動環境情報は、前記ユーザの要求に基づく経路で利用する乗物内の環境情報を含むことを特徴とする請求項３に記載の情報処理システム。
【請求項６】
前記移動環境情報は、前記ユーザの要求に基づく経路で利用する乗物の外部における環境情報を含むことを特徴とする請求項３に記載の情報処理システム。
【請求項７】
前記推奨情報は、前記ユーザの要求に基づく経路上の複数の位置および区間の少なくとも一方と、各位置および区間の少なくとも一方における前記移動状況情報と、の対応関係を表した表またはグラフであることを特徴とする請求項１乃至６のいずれかに記載の情報処理システム。
【請求項８】
前記出力情報生成手段は、前記ユーザの要求に基づく経路上の各ステーションごと、および各ステーション間の区間ごとの少なくとも一方について、前記移動状況情報を表す指標を含む前記推奨情報を出力することを特徴とする請求項１乃至７のいずれかに記載の情報処理システム。
【請求項９】
前記移動状況情報は、前記ユーザの要求に基づく経路を指定したユーザおよびその他の人間の少なくとも一方が乗物内で着席したか否かを示す着席可否情報を含んでおり、
前記出力情報生成手段は、前記着席可否情報に基づいて、ユーザおよびその他の人間の少なくとも一方が過去に乗物内で着席した頻度に応じた前記指標を生成することを特徴とする請求項８に記載の情報処理システム。
【請求項１０】
前記指標のそれぞれは、乗物内で着席できる可能性に関する指標であることを特徴とする請求項９に記載の情報処理システム。
【請求項１１】
前記移動状況情報取得手段にて取得した前記移動状況情報を分析した移動状況分析情報を生成する移動状況分析手段を備え、
前記出力情報生成手段は、前記移動状況分析情報に基づいて前記推奨情報を出力することを特徴とする請求項１乃至１０のいずれかに記載の情報処理システム。
【請求項１２】
前記移動状況分析情報は、乗物内で着席する確率と、着席する傾向を表す情報と、の少なくとも一方を含む請求項１１に記載の情報処理システム。
【請求項１３】
前記出力情報生成手段は、前記移動状況分析情報に基づいて、前記ユーザの要求に基づく経路における推奨情報を出力する推奨情報生成手段を有することを特徴とする請求項１１または１２に記載の情報処理システム。
【請求項１４】
前記推奨情報は、乗物の識別情報、乗物の特定の車両情報、特定の車両における特定のドア情報の少なくとも一つを含むことを特徴とする請求項１３に記載の情報処理システム。
【請求項１５】
前記推奨情報を推奨タイミングで出力する制御手段を更に備えたことを特徴とする請求項１３または１４に記載の情報処理システム。
【請求項１６】
少なくとも交通機関経路を含むユーザの要求に基づく出発地から目的地までの経路情報を取得する経路情報取得手段と、
前記経路情報から前記交通機関経路上の乗降場を特定し、ユーザおよびその他人間の少なくとも一方の過去の移動状況情報に基づいて、前記特定された乗降場の間で座れる可能性のある場所及び車両情報を表示させる表示制御手段と、を備えたことを特徴とする情報処理システム。
【請求項１７】
コンピュータを、
少なくとも交通機関経路を含むユーザの要求に基づく出発地から目的地までの経路情報を取得する経路情報取得手段、
前記交通機関経路上の停車するステーション区間ごと／または乗り降りするステーション区間におけるユーザ自身の過去の移動状況情報を取得する移動状況情報取得手段、
及び前記ユーザの要求に基づく経路情報に前記移動状況情報を関連付けて推奨情報を出力する出力情報生成手段として機能させるための情報処理プログラム。
【請求項１８】
通信可能に接続された複数のコンピュータによって構成される情報処理システムであって、
少なくとも交通機関経路を含むユーザの要求に基づく出発地から目的地までの経路情報を取得する経路情報取得手段と、
前記交通機関経路上の停車するステーション区間ごと／または乗り降りするステーション区間におけるユーザ自身の過去の移動状況情報を取得する移動状況情報取得手段と、
前記ユーザの要求に基づく経路情報に前記移動状況情報を関連付けて推奨情報を出力する出力情報生成手段と、
を備えた情報処理システムを機能させるために、
上記コンピュータの少なくとも１つを上記手段の少なくとも１つとして機能させるための情報処理プログラム。
【請求項１９】
通信可能に接続された複数の情報処理装置によって、請求項１〜１６のいずれかに記載の情報処理システムを機能させるために、
上記情報処理装置のうちの１つを請求項１〜１６のいずれかに記載の情報処理システムにおける各手段の少なくとも１つとして機能させるための情報処理プログラム。
【請求項２０】
コンピュータを、請求項１〜１６のいずれかに記載の情報処理システムにおける各手段の少なくとも１つとして機能させるための情報処理プログラム。
【請求項２１】
通信可能に接続された複数の情報処理装置によって、
少なくとも交通機関経路を含むユーザの要求に基づく出発地から目的地までの経路情報を取得する経路情報取得手段と、
前記交通機関経路上の停車するステーション区間ごと／または乗り降りするステーション区間におけるユーザ自身の過去の移動状況情報を取得する移動状況情報取得手段と、
前記ユーザの要求に基づく経路情報に前記移動状況情報を関連付けて推奨情報を出力する出力情報生成手段と、
を備えた情報処理システムを構成するために、
上記手段の少なくとも１つを備えたことを特徴とする情報処理装置。
【請求項２２】
少なくとも交通機関経路を含むユーザの要求に基づく出発地から目的地までの経路情報を取得するステップと、
前記交通機関経路上の停車するステーション区間ごと／または乗り降りするステーション区間におけるユーザ自身の過去の移動状況情報を取得するステップと、
前記ユーザの要求に基づく経路情報に前記移動状況情報を関連付けて推奨情報を出力するステップと、を備えたことを特徴とする情報処理方法。
【請求項２３】
コンピュータを、
交通機関経路上の停車するステーション区間ごと／または乗り降りするステーション区間におけるユーザ自身の過去の移動状況情報を取得する移動状況情報取得手段、
前記移動状況情報を情報処理装置に送信する移動状況情報送信手段、
少なくとも交通機関経路を含むユーザの要求に基づく出発地から目的地までのユーザの要求に基づく経路情報に前記移動状況情報を関連づけて推奨情報を出力する出力手段として機能させるための情報処理プログラム。
【請求項２４】
前記コンピュータを、ユーザの位置情報を取得する位置情報取得手段としてさらに機能させ、
前記出力手段は、ユーザの要求に基づく経路の情報と、前記移動状況情報と、前記位置情報とに基づく前記推奨情報を受信して出力する請求項２３に記載の情報処理プログラム。
【請求項２５】
前記コンピュータを、ユーザの生体情報を取得する生体情報取得手段としてさらに機能させ、
前記出力手段は、ユーザの要求に基づく経路の情報と、前記移動状況情報と、前記生体情報とに基づく前記推奨情報を受信して出力する請求項２３に記載の情報処理プログラム。
【発明の詳細な説明】
【技術分野】
【０００１】
本発明は、情報処理システム、情報処理プログラム、情報処理装置、および情報処理方法に関する。
【背景技術】
【０００２】
着席している乗客の降車駅に関連する表示を行って、立っている乗客がどの駅から着席できるかを席が埋まっている間に把握できるようにした座席情報提供システムが開示されている（特許文献１参照）。このシステムによれば、立っている乗客に対して、どの駅から空席ができるかを知らせることができ、各乗客は一番早く座れそうな席を簡易に見つけることができる。
【先行技術文献】
【特許文献】
【０００３】
【特許文献１】特開２００９−３０１４９９号公報
【発明の概要】
【発明が解決しようとする課題】
【０００４】
特許文献１に開示されたシステムは、列車内で立っている乗客に対する情報提供を目的としており、列車に乗る前のユーザに対する情報提供は念頭に置いていない。よって、このシステムを利用したとしても、列車に乗る前のユーザは、列車に乗らない限り、どの駅から座れるかを判断できない。
【０００５】
本発明が解決しようとする課題は、ユーザにとって有効な情報を過去に取得したユーザに関する情報から的確に提供可能な情報処理システム、情報処理プログラム、情報処理装置、および情報処理方法を提供することである。
【課題を解決するための手段】
【０００６】
上記の課題を解決するために、本発明の一態様では、少なくとも一部に交通機関経路を含むユーザの要求に基づく経路の情報を取得する経路情報取得手段と、
前記交通機関経路上のユーザの移動状況情報を取得する移動状況情報取得手段と、
前記ユーザの要求に基づく経路の情報と前記移動状況情報とを関連付けた出力情報を生成する出力情報生成手段と、を備えたことを特徴とする情報処理システムが提供される。
【発明の効果】
【０００７】
本発明によれば、ユーザにとって有効な情報を過去に取得したユーザに関する情報から的確に提供できる。
【図面の簡単な説明】
【０００８】
【図１】本発明の第１の実施形態に係る情報処理システム１の概略的な構成を示す図。
【図２】交通関連情報データベース２５に格納されている時刻表データの一例を示す図。
【図３】移動履歴情報を示す図。
【図４】ログ情報データベースの一例を示す図。
【図５】ログ情報データベースの他の一例を示す図。
【図６】（ａ）と（ｂ）は推奨情報の一例を示す図。
【図７】ログ情報を収集して管理する際の端末装置２およびサーバ３の処理動作の一例を示すフローチャート。
【図８】移動状況分析情報データベース２７の一例を示す図。
【図９】移動状況分析情報データベース２７の他の一例を示す図。
【図１０】サーバ３が生成した出力情報を端末装置２の表示画面に表示する処理動作の一例を示すフローチャート。
【図１１】端末装置２の表示画面に表示される出力情報の一例を示す図。
【図１２】出力情報の第１応用例を示す図。
【図１３】出力情報の第２応用例を示す図。
【図１４】出力情報の第３応用例を示す図。
【図１５】第３の実施形態による出力情報の一例を示す図。
【発明を実施するための形態】
【０００９】
以下、本発明の実施の形態について、図面を参照しながら詳細に説明する。
【００１０】
（第１の実施形態）
図１は本発明の第１の実施形態に係る情報処理システム１の概略的な構成を示す図である。図１の情報処理システム１は、端末装置２およびサーバ３を備えている。端末装置２とサーバ３とは、ネットワーク４を介して互いに通信可能に接続されている。
【００１１】
なお、端末装置２およびサーバ３の少なくとも一部の機能は、コンピュータにより実行するようにしてもよい。また、ネットワーク４は、有線回線および無線回線のいずれでもよく、回線の種類や形態は問わない。
【００１２】
まず、端末装置２について説明する。端末装置２は、ユーザが使用するものであり、例えば、携帯電話、スマートフォンまたはタブレット端末等のモバイル電子機器である。
【００１３】
端末装置２は、図１に示すように、通信部１１と、操作入力部１２と、出力部１３と、測位部１４と、経路情報取得部１５と、移動状況情報取得部１６と、制御部１７とを有する。
【００１４】
通信部１１は、ネットワーク４を介して制御部１７とサーバ３との間で情報を送受信するための通信インターフェース部である。
【００１５】
操作入力部１２は、ユーザが端末装置２に操作（情報）を入力するためのインターフェースであり、例えば内蔵マイクロフォン、タッチパネル、キーボード等である。ユーザは、例えば、タッチパネルやキーボード等を操作して各種情報を入力してもよいし、あるいは内蔵マイクロフォンを介して各種情報を音声入力してもよい。操作入力部１２にてユーザが入力する情報には、後述する移動状況情報が含まれていてもよい。
【００１６】
出力部１３は、ユーザに対して各種情報を出力する。この出力部１３は、例えば、液晶ディスプレイ等の映像表示手段でもよいし、スピーカやイヤホン等の音声出力手段でもよい。なお、操作入力部１２がタッチパネルの場合には、操作入力部１２が出力部１３を兼ねてもよい。出力部１３が出力する情報には、後述するサーバ３が生成した出力情報も含まれる。
【００１７】
測位部１４は、ユーザ（端末装置２）の現在位置を測定する。この測位部１４は、例えば、ＧＰＳ（Global Positioning System）衛星からの信号を受信してユーザ（端末装置２）の絶対位置を測定する。あるいは、測位部１４は、ＷｉＦｉ測位のように、アクセスポイントからの電波を受信して測位を行ってもよい。また、ＧＰＳ衛星からの信号とアクセスポイントからの電波とを共に利用して測位を行ってもよい。
【００１８】
経路情報取得部１５は、ユーザが操作入力部１２にて入力した情報に基づいて、ユーザの要求に基づく経路を取得する。ここで、ユーザの要求に基づく経路とは、例えば、ユーザが交通案内を希望する経路そのものであったり、ユーザが指定した過去の特定の日にちに関連した経路である。後者の場合、ユーザが特定の日にちを指定すると、経路情報取得部１５は、その日にちにユーザが移動した経路を取得することが考えられる。経路情報取得部１５が取得する経路の少なくとも一部には、交通機関経路を含んでいる。なお、交通機関経路とは、列車、バス、航空機、船などの任意の交通機関が運行する各種の乗物の経路である。ユーザの要求に基づく経路の少なくとも一部に交通機関経路が含まれていればよいため、ユーザの要求に基づく経路内に、徒歩や自転車、自家用車などの交通機関経路以外の経路が含まれていてもよい。また、ユーザの要求に基づく経路は、出発地、目的地、出発時刻、到着時刻、使用する交通機関などの情報をユーザが任意に指定する経路であればよく、例えば列車の路線だけの概略的な経路を指定してもよいし、路線、乗車（降車）駅名および乗車時刻を具体的に指定してもよい。
【００１９】
なお、経路情報取得部１５が取得する経路は、ユーザが指定した出発地から目的地までの経路全体でもよいし、経路全体の中の一部の経路でもよい。また、経路情報取得部１５が取得する経路は、複数の路線を乗り換える経路中の一路線であってもよい。
【００２０】
移動状況情報取得部１６は、乗物に乗車中のユーザの移動状況情報を取得する。ここで、ユーザの移動状況情報とは、移動時のユーザの行動に関する情報と、移動環境に起因するユーザの行動に関する情報とを含む概念である。より詳細には、移動状況情報取得部１６は、例えばユーザが所持する端末装置２の一つまたは複数のセンサを用いて、ユーザの移動状況情報を検知する。例えば、加速度センサにより、乗物に乗車したユーザの姿勢を検知できるため、移動状況情報には姿勢情報を含めることができる。姿勢情報とは、例えば、ユーザが着席しているか否かを示す情報であり、加速度センサにより検出可能である。また、上述した測位部１４を用いて、ユーザの現在位置を検知できるため、移動状況情報には位置情報を含めることができる。あるいは、移動状況情報取得部１６とは別個に、測位部１４等を用いてユーザの位置情報を検出してもよい。すなわち、ユーザの移動状況情報に位置情報を含めてもよいし、ユーザの移動状況情報には位置情報を含めずに、測位部１４等により位置情報を別個に取得してもよい。
【００２１】
また、端末装置２とは別個のリストバンド型端末などのウェアラブル・センサを用いて、乗物にて移動中のユーザの生体情報や環境情報を移動状況情報として取得してもよい。このように、ユーザの移動状況情報を自動的に検知するセンサは、サーバ３と通信を行う端末装置２が装備しているものだけに限らない。端末装置２とは別個に設けられるセンサで検知した移動状況情報は、端末装置２を介してサーバ３に送られてもよいし、センサから直接サーバ３に送られてもよい。直接サーバ３にセンサ検知信号が送られる場合、サーバ３にも移動状況情報取得部１６を設ける必要がある。すなわち、ユーザの移動状況情報に生体情報を含めてもよいし、ユーザの移動状況情報には生体情報を含めずに、移動状況情報取得部１６とは別個にウェアラブル・センサ等により生体情報を取得してもよい。
【００２２】
ここで、生体情報は、ユーザの体温や発汗、脳波、脈拍、呼吸、血流などの情報である。あるいは、生体情報は、これらの情報に基づいて生成される、ユーザの体調に関する情報、快適や不快などのユーザの気分を示す情報、ユーザのリラックス度を示す情報、ユーザの活動状態を示す情報などでもよい。
【００２３】
また、環境情報は、天候や温度、湿度、混雑などを示す情報である。より詳細には、環境情報は、温度、湿度、混雑などの乗物内の環境情報と、天候などの乗物の外部における環境情報との少なくとも一方を含んでいる。
【００２４】
なお、移動状況情報取得部１６は、ユーザが操作入力部１２を介して入力した情報に基づいて、ユーザの移動状況情報を取得してもよい。また、移動状況情報取得部１６は、一つまたはセンサの検知情報と、ユーザが操作入力部１２を介して入力した情報とを共に用いて、ユーザの移動状況情報を取得してもよい。
【００２５】
例えば、ユーザは、操作入力部１２を介して、ユーザの移動状況情報を入力してもよい。入力される移動状況情報は、例えば移動環境に起因するユーザの行動に関する情報であり、より具体的には、姿勢情報、体温情報、気温に起因する行動の情報、混雑に起因する行動の情報などの入力が考えられる。例えば、姿勢情報は、乗物内でユーザが立っていたとか、座っていたかの情報である。体温情報は、ユーザ自身の体温が高いとか、低いとかの相対的な情報でもよいし、具体的な体温値のような絶対的な情報でもよい。気温に起因する行動の情報は、ユーザが気温を把握できる行動の情報である。より具体的には、暑くて汗をかいていたとか、暑くてまたは寒くて車両を移動したとか、寒くて震えていたとか等の、乗物内の気温が把握できるような情報である。混雑に起因する行動の情報とは、ユーザが混雑状況を把握できる情報である。より具体的には、人混みを押しのけていたとか、人混みで耐えていたとか、息苦しかったとか、新聞を開けずにじっとしていたとかの、混雑している状況を把握できる情報であったり、本や雑誌などを集中して読めた等の混雑していない状況を把握できる情報である。
【００２６】
なお、ユーザによって、混雑や体温、気温についての感じ方は異なるため、操作入力部１２を介して各ユーザが入力する情報は、個々のユーザに固有の移動状況情報となりうる。
【００２７】
経路情報取得部１５が取得したユーザの要求に基づく経路の情報と、移動状況情報取得部１６が取得した移動状況情報とは、通信部１１を介して、サーバ３に送信される。なお、経路情報取得部１５と移動状況情報取得部１６は、必ずしも端末装置２に設けられているとは限らず、サーバ３に設けてもよい。また、端末装置２とサーバ３の双方に、経路情報取得部１５と移動状況情報取得部１６の少なくとも一方を重複して設けてもよい。本明細書では、端末装置２内に経路情報取得部１５と移動状況情報取得部１６を設ける例を説明する。
【００２８】
制御部１７は、端末装置２内の各部の動作を制御する。例えば、制御部１７は、移動状況情報取得部１６が自動的に取得したユーザの移動状況情報を、測位部１４が自動的に取得したユーザ位置情報と関連づけて、サーバ３に送信する制御を行う。あるいは、制御部１７は、ユーザの移動状況情報と位置情報とをそれぞれ別個にサーバ３に送信する制御を行い、サーバ側でこれら情報の関連づけを行ってもよい。なお、位置情報は、端末装置２とは別個の装置からサーバ３に送信してもよい。また、制御部１７は、ユーザが操作入力部１２を介して入力したユーザの移動状況情報を、サーバ３に送信する制御を行う。さらに、制御部１７は、ユーザが操作入力部１２を介して出力情報の提供を要求した場合には、サーバ３に対して出力情報の送信要求を送り、これに応答してサーバ３から送られた出力情報を受信して、端末装置２の表示画面に出力情報を表示する制御を行う。
【００２９】
次に、サーバ３の構成について説明する。サーバ３は、通信部２１と、記憶部２２と、制御部２３とを有する。
【００３０】
通信部２１は、ネットワーク４を介して端末装置２との間で情報を送受信する通信インターフェース部である。
【００３１】
記憶部２２は、地図データベース２４と、交通関連情報データベース２５と、ログ情報データベース２６とを有する。また、記憶部２２は、移動状況分析情報データベース２７を有していてもよい。
【００３２】
地図データベース２４は、交通機関のステーションの位置情報、およびステーションを通る路線の情報を格納したデータベースである。なお、ステーションの位置情報と、ステーションを通る路線の情報とがそれぞれ異なるデータベースに格納されていてもよい。
【００３３】
なお、「ステーション」は、交通機関が乗客を乗り降りさせるために停留する場所を意味し、例えば、交通機関が列車の場合には駅、交通機関がバスの場合には停留所、交通機関が船の場合には港、交通機関が飛行機の場合には空港をそれぞれ意味する。
【００３４】
交通関連情報データベース２５は、交通関連情報を格納したデータベースである。この交通関連情報データベース２５は、例えば、ステーションおよび路線ごとの時刻表、ステーションごとの混雑情報、および、路線ごとの運行情報のうち少なくとも一つを有している。
【００３５】
図２は交通関連情報データベース２５に格納されている時刻表データの一例を示す図である。この時刻表は、Ｘ線のＡ駅からＹ方面の朝８時台の時刻表の一部を示している。
【００３６】
ログ情報データベース２６は、端末装置２からサーバ３に送信されたユーザの移動状況情報を含むログ情報を時系列で格納したデータベースである。端末装置２のユーザが５月１２日から１５日の間の朝にＸ線で乗り降りした移動履歴情報が図３のようなものであったとする。例えば、５月１２日には、Ａ駅で８時１分に乗車して、８時１８分にＨ駅で降車したことを示している。この場合のログ情報データベース２６は例えば図４のようなものになる。図４のログ情報データベース２６は、ユーザの移動状況情報として姿勢情報、すなわち列車内で着席できたか否かを示す情報を格納する例を示している。図４のログ情報データベース２６は、ユーザＩＤと、日時と、姿勢情報と、位置情報とを関連付けたログ情報を格納している。位置情報は、緯度経度情報と、列車の駅または区間名と、車両情報と、ドア情報とを含んでいる。
【００３７】
緯度経度情報は、端末装置２の測位部１４によって検出可能である。列車の駅または区間名は、端末装置２の所持者が駅のプラットホームにいる間に、プラットホームに設置された基地局やアクセスポイント等と通信を行ったり、あるいは測位部１４によるＧＰＳ衛星との通信により、特定可能である。また、端末装置２のユーザが列車に乗車したか否かは、測位部１４にて判断できる。すなわち、測位部１４で定期的にユーザの位置を検出すれば、ユーザの移動速度を把握できるため、移動速度が所定の閾値を上回っていれば、ユーザが列車に乗車したと判断できる。あるいは、車両内に設置された通信装置との通信履歴により、ユーザが列車に乗車したと判断してもよい。
【００３８】
図４のログ情報データベース２６に格納される各データは、ユーザの要求に基づく経路を指定したユーザおよびその他の人間の少なくとも一方が所持する端末装置２がセンサ等を用いて自動的に取得した移動状況情報を時系列に格納したものである。図４には、ユーザＩＤがＩＤ０１２３４５のユーザが所持する端末装置２が１分おきに自動的に取得した移動状況情報が示されているが、別のユーザＩＤを持つユーザが所持する端末装置２が自動的に取得した移動状況情報も、ログ情報データベース２６に格納するようにしてもよい。
【００３９】
なお、ログ情報データベース２６に格納されるログ情報は、端末装置２が自動的に取得したデータだけでなく、端末装置２の所持者が入力したデータを含んでいてもよい。図５は端末装置２の所持者が入力したデータを逐次格納して生成されたログ情報データベース２６の一例を示す図である。図５の例では、１分おきにデータを入力しているが、端末装置２の所持者は不定期にデータを入力してもよい。所持者が入力したデータが多数蓄積されることで、信頼性の高いログ情報データベース２６を生成できる。なお、図５のログ情報データベース２６への入力を行う端末装置２の所持者は、一人だけではなく、複数の端末装置２それぞれの所持者を含んでいてもよい。
【００４０】
サーバ３内のログ情報データベース２６には、端末装置２によって自動的に取得された図４のようなログ情報と、端末装置２の所持者が入力した図５のようなログ情報との少なくとも一方を格納しておけばよい。これら２種類のログ情報をともにログ情報データベース２６に格納する場合、これら２種類のログ情報を分けて管理してもよいし、時系列順にまとめて管理してもよい。
【００４１】
記憶部２２は、例えば、ハードディスク等の固定型データストレージである。また、記憶部２２は、必ずしもサーバ３内に設けられなくてもよく、有線または無線でサーバ３と通信可能に接続された別の装置内に設けられてもよい。また、地図データベース２４、交通関連情報データベース２５およびログ情報データベース２６の少なくとも一部は、異なる記憶装置に別々に格納されてもよい。
【００４２】
サーバ３内の制御部２３は、出力情報生成部２８を有する。出力情報生成部２８は、ユーザの要求に基づく経路の情報とユーザの移動状況情報とを関連付けた出力情報を生成する。出力情報生成部２８が出力情報の生成に利用するユーザの移動状況情報は、ユーザの要求に基づく経路を指定したユーザおよびその他の人間の少なくとも一方が過去に同じユーザの要求に基づく経路の少なくとも一部を移動している最中に取得した移動状況情報である。出力情報の具体例については、後述する。
【００４３】
出力情報生成部２８は、推奨情報生成部２９を含んでいてもよい。推奨情報生成部２９は、移動状況情報取得部１６で取得されたユーザの移動状況情報に基づいて、ユーザの要求に基づく経路における推奨情報を生成する。ここで、推奨情報は、ユーザが乗車すべき乗物の識別情報や、乗物の特定の車両に関する情報、特定の車両の特定のドアに関する情報などである。
【００４４】
図６は推奨情報の一例を示す図であり、ユーザが所持する端末装置２の表示画面に推奨情報を表示する例を示している。図６は、ユーザの要求に基づく経路内に、Ａ駅からＧ駅までＸ線に乗る経路を含む例を示している。図６（ａ）の場合、ユーザ自身の過去の移動状況情報によれば、Ａ駅を午前８時１分に出発する列車に乗車すると、４両目の車両であれば、Ｃ駅から着席できることが多いことから、４両目の車両を推奨情報として提供している。また、図６（ｂ）の場合、ユーザの要求に基づく経路を指定したユーザおよびその他の人間の過去の移動状況情報によれば、１〜４両目と６両目のいずれかの車両であれば、Ｃ駅から着席できることが多いことから、これらの車両を推奨情報として提供している。
【００４５】
このように、推奨情報として提供する具体的な情報は、特に制限されない。過去の移動状況情報に基づいて、予め定めたアルゴリズムで推奨情報を提供してもよいし、事前にユーザに優先度を問い合わせて、ユーザが指定した優先度に応じた推奨情報を提供してもよい。また、推奨情報は、推奨タイミングで提供されてもよい。例えば、ある駅に列車が到着した際に、「いつもは次の駅から座れています」旨の推奨情報を表示したり、列車が走行中に「あと１０分は立ち続けます」旨の推奨情報を表示してもよい。前者の場合、座れる可能性の高い駅の前駅を推奨タイミングとして推奨情報を提供する例を示し、後者の場合、座れる可能性の高い駅に到達する時刻の例えば１０分前を推奨タイミングとして推奨情報を表示する例を示している。
【００４６】
列車内で実際に着席できるか否かは、各乗客の経験や着席しようとする意欲などに依存し、個人差が大きい。よって、他人の過去の着席可否情報は、自分自身の着席可否情報ほどは参考にならないことが多い。そこで、図６（ｂ）の場合のように、他人の過去の着席可否情報を含む移動状況情報に基づいて推奨情報を提供する場合には、他人の過去の着席可否情報に基づいて推奨情報を提供していることを明示するのが望ましい。図６（ｂ）の例では、「この列車に乗った人はこの駅で座れています」と表示し、他人の過去の着席可否情報を考慮に入れていることがユーザにわかるようにしている。一方、図６（ａ）の場合は、ユーザ自身の過去の着席可否情報に基づいて推奨情報を提供しているため、誰の着席可否情報を考慮に入れたかを明示していないが、図６（ａ）の場合においても、例えば「お客様ご自身は以前この駅で座れています」等の表示を行ってもよい。
【００４７】
また、サーバ３内の制御部２３は、移動状況分析部３０を有していてもよい。移動状況分析部３０は、移動状況情報取得部１６で取得されたユーザの移動状況情報を分析した移動状況分析情報を生成し、移動状況分析情報データベース２７に格納する。また、出力情報生成部２８は、移動状況分析情報に基づいて出力情報を生成する。
【００４８】
図７はユーザの移動状況情報を含むログ情報を収集して管理する際の端末装置２およびサーバ３の処理動作の一例を示すフローチャートである。このフローチャートでは、端末装置２の所持者が列車内の席に着席できたか否かを示す着席可否情報を移動状況情報として取得する例を示している。なお、端末装置２の所持者とは、ユーザの要求に基づく経路を指定したユーザだけでなく、それ以外の他人も含む趣旨である。
【００４９】
図７のフローチャートを実施するにあたって、端末装置２の所持者は、端末装置２上で特定のアプリケーションソフトウェアを起動しておく必要がある。あるいは、端末装置２に専用のボタンを設けて、このボタンが押下またはタッチされると、端末装置２は自動的に図７のフローチャートの処理を開始してもよい。
【００５０】
まず、端末装置２の所持者が列車に乗車したか否かを判定する（ステップＳ１）。この判定では、上述したように、測位部１４で定期的に端末装置２の所持者の位置を測定した結果に基づいて、所持者の移動速度を検出し、移動速度が所定の閾値を超えていれば、所持者が列車に乗車したと判断する。あるいは、車両内の通信装置との通信履歴により、所持者が列車に乗車したと判断してもよい。あるいは、所持者が列車に乗車時に、操作入力部１２やマイクロフォンを用いて、乗車した旨の情報を入力してもよい。
【００５１】
次に、端末装置２の所持者が乗車した路線、列車の識別情報、車両、およびドアなどの各種情報を検出する（ステップＳ２）。路線は、端末装置２の所持者が列車に乗車する前にいたプラットホーム上の基地局やアクセスポイント等との通信履歴や、測位部１４で測定した所持者位置に基づいて、特定可能である。列車の識別情報は、サーバ３が管理する時刻表情報と現在時刻とを照合することで、特定可能である。所持者が乗車した車両およびドアは、列車に車両やドアごとに端末装置２と通信を行う通信装置等が装備されている場合には、その通信装置等との通信によって特定可能である。このような通信装置がない場合には、プラットホーム上の位置を測位部１４で測定した位置情報に基づいて特定し、端末装置２の所持者が乗車した車両やドアを推定する。なお、端末装置２の所持者が乗車した車両やドアについての情報は必ずしも必須ではないため、これらの情報は取得しなくてもよい。また、ステップＳ２の各種情報の検出を自動的に行う代わりに、端末装置２の所持者が操作入力部１２を用いて、これらの情報を入力してもよい。
【００５２】
次に、端末装置２内の移動状況情報取得部１６は、例えば加速度センサを用いて、ユーザが着席したか否かを継続的または断続的に検出する（ステップＳ３）。そして、例えば図４に示すように、１分おきに、ユーザＩＤ、日時情報、姿勢情報、およびユーザの位置情報を関連づけたログ情報を取得して、通信部１１を介してサーバ３に送信する（ステップＳ４）。図４の例では、位置情報として、緯度経度情報、駅または区間情報、車両情報、ドア情報を含んでいるが、これらは必須ではなく、適宜変更してもよい。
【００５３】
サーバ３は、端末装置２から送られてきた移動状況情報を含むログ情報を受信すると、受信したログ情報を記憶部内のログ情報データベース２６に保存する（ステップＳ５）。ログ情報は、例えば１分ごとに端末装置２から送信されるため、ログ情報データベース２６に時系列に保存される。なお、サーバ３には、複数のユーザのそれぞれが所持する端末装置２からのログ情報が別個のタイミングで送信されてくる可能性があるが、ログ情報にはユーザＩＤと日時情報が含まれているため、受信した順にログ情報データベース２６に保存しても、各ログ情報を区別することができる。
【００５４】
次に、サーバ３内の移動状況分析部３０は、ログ情報データベース２６に保存されているログ情報に基づいて統計および分析を行って、移動状況分析情報を生成し、移動状況分析情報データベース２７に格納する（ステップＳ６）。
【００５５】
図８および図９は移動状況分析情報データベース２７の一例を示す図である。図８の移動状況分析情報データベース２７は、列車および車両ごとの着席履歴をまとめた移動状況分析情報を格納する例を示している。図８の移動状況分析情報は、ユーザＩＤ、路線、列車ＩＤ、出発駅、出発駅の出発時刻、乗車した車両、駅または区間、履歴数、着席回数、着席不可回数、勝率、勝敗、およびアイコン情報の各情報を関連づけたものである。これらの情報は一例であり、少なくとも一部の情報を変更してもよい。勝率とは、着席回数を履歴数で割った値であり、着席できる確率を表している。勝敗とは、着席回数を勝ち数とし、着席不可回数を負け数とした勝ち負け数である。アイコン情報とは、端末装置２の表示画面に表示されるアイコンの選択情報であり、着席している様子を示すアイコンと立っている様子を示すアイコンとのいずれかを選択する情報である。この例では、着席数が５割を上回っていれば、着席している様子を示すアイコンを選択し、それ以下の着席数であれば、立っている様子を示すアイコンを選択する。これらのアイコンは、着席傾向を示す情報を提供するためのものであり、必ず着席できるとか、できないといった確実な情報を提供するものではない。
【００５６】
一方、図９の移動状況分析情報データベース２７は、特定路線の着席度に関する移動状況分析情報を格納する例を示している。図９の移動状況分析情報は、ユーザＩＤ、路線、駅または区間、履歴数、着席回数、着席不可回数、勝率、勝敗、および着席度の各情報を関連づけたものである。これらの情報は一例であり、少なくとも一部の情報を変更してもよい。着席度は、着席のしやすさを例えば３段階で表しており、「高」が最も着席しやすく、「中」がその次に着席しやすく、「低」が最も着席しにくいことを示している。着席度が「高」になるのは着席数を履歴数で割った勝率が例えば０．８以上、着席度が「中」になるのは勝率が例えば０．３以上で０．８未満、着席度が「低」になるのは勝率が例えば０．３未満の場合である。
【００５７】
上述した図８と図９は移動状況分析情報の一例であり、これらを両方とも移動状況分析情報データベース２７に格納してもよいし、いずれか一方のみを格納してもよいし、他の統計分析を行って生成された移動状況分析情報を移動状況分析情報データベース２７に格納してもよい。
【００５８】
また、図８や図９の移動状況分析情報を生成するにあたって、ユーザの要求に基づく経路を指定したユーザ自身の過去の移動分析情報のみを用いて、各ユーザ専用の移動状況分析情報を生成してもよいし、ユーザの要求に基づく経路を指定したユーザだけでなく、他人の過去の移動分析情報を含む複数のユーザで共用可能な汎用的な移動状況分析情報を生成してもよい。また、各ユーザ専用の移動状況分析情報を生成するか、汎用的な移動状況分析情報を生成するかを、各ユーザが任意に選択できるようにしてもよい。あるいは、各ユーザの過去の移動分析情報の履歴数が所定数に達しなければ、自動的に汎用的な移動状況分析情報を生成し、履歴数が所定数に達していれば、各ユーザ専用の移動状況分析情報を生成してもよい。
【００５９】
なお、図７のステップＳ５の処理は必ずしも必須ではない。すなわち、サーバ３は、必ずしも、移動情報分析情報を生成しなくてもよい。この場合、サーバ３内の出力情報生成部２８は、移動状況情報を含むログ情報に基づいて出力情報を生成する。例えば、ユーザの要求に基づく経路を指定したユーザが過去の特定の日時における移動状況情報の表示要求を行う場合などは、ログ情報の移動情報分析を行う必要はなく、サーバ３は、ログ情報データベース２６から所望の移動状況情報を抽出して、出力情報を生成すればよい。
【００６０】
図１０はサーバ３が生成した出力情報を端末装置２の表示画面に表示する処理動作の一例を示すフローチャートである。まず、ユーザは、自身の端末装置２の操作入力部１２を介して、ユーザの要求に基づく経路を指定するとともに、ユーザの要求に基づく経路内に含まれる交通機関経路の移動状況情報の表示要求を行う（ステップＳ１１）。この表示要求はユーザの要求に基づく経路の情報とともに、通信部１１を介してサーバ３に送られる。
【００６１】
サーバ３は、移動状況情報の表示要求を受信すると、ユーザの要求に基づく経路内の交通機関経路に関連する移動状況情報をログ情報データベース２６から取得するとともに、必要に応じて、対応する移動状況分析情報を移動状況分析情報データベース２７から取得する（ステップＳ１２）。次に、サーバ３内の出力情報生成部２８は、取得した移動状況情報と、必要に応じて取得した移動状況分析情報とを用いて出力情報を生成する（ステップＳ１３）。
【００６２】
サーバ３内の出力情報生成部２８が生成した出力情報は、ネットワーク４を介して端末装置２に送信される（ステップＳ１４）。端末装置２は、受信した出力情報を端末装置２の表示画面に表示する（ステップＳ１５）。
【００６３】
図１１は端末装置２の表示画面に表示される出力情報の一例を示す図である。図１１の出力情報は、各車両ごとに、各駅間での着席可否情報を複数のアイコン（指標）ｉｃ１，ｉｃ２のいずれかで表示する。これらのアイコンｉｃ１，ｉｃ２は、図８の移動状況分析情報データベース２７のアイコン情報に基づくものであり、着席できる可能性が高いことを示すアイコン（第１指標）ｉｃ１と、着席できない可能性が高いことを示すアイコン（第２指標）ｉｃ２とを含んでいる。図１１の例では、１両目の車両では、Ａ駅からＣ駅までの区間は着席できない可能性が高いことを示すアイコンｉｃ２が表示され、Ｃ駅からＥ駅までは着席できる可能性が高いことを示すアイコンｉｃ１が表示されている。
【００６４】
なお、図１１では、着席可否情報を表すアイコンの種類を２つとしたが、着席できる可能性が高い順から低い順に３種類以上のアイコンを設けてもよい。例えば、ほぼ座れることを示す第１アイコンと、比較的座れそうであることを示す第２アイコンと、比較的立ちそうであることを示す第３アイコンと、ほぼ立つことを示す第４アイコンとを設けてもよい。
【００６５】
図１１のような出力情報を端末装置２の表示画面に表示することで、ユーザは、列車に乗る前に、どの車両に乗車すれば、短時間で着席できるかを一目で把握でき、列車に乗車する乗客の利便性が向上する。
【００６６】
なお、サーバ３内の出力情報生成部２８が生成する出力情報は図１１に示したものには限定されない。例えば、図１２は出力情報の第１応用例を示す図である。図１２の出力情報は、端末装置２のユーザがユーザの要求に基づく経路として路線と駅を指定する例を示している。この場合の出力情報には、車両の区別なしの列車ごとの各駅間での着席可否情報と、列車および時刻の区別なしの各駅間での着席度の情報とが含まれている。図１２の出力情報を生成するには、図８と図９の両方の移動状況分析情報が用いられる。より具体的には、図１２の出力情報では、Ａ駅を出発する時刻が異なる列車ごとに、アイコンｉｃ１、ｉｃ２にて着席できる可能性が高いか否かを表示する。また、図１２の出力情報は、着席度に応じて、各区間の色または濃淡が変わる表示領域３１を備えている。この表示領域３１を見ることで、各駅間での着席度合いを一目で把握できる。
【００６７】
図１２の出力情報によれば、朝早い時間帯だと、Ａ駅からＧ駅まで着席するのは難しいが、少し遅くなると、Ｄ駅から着席できるようになり、さらに遅くなると、Ｃ駅から着席できるようになることがわかる。また、着席度の表示領域３１によれば、平均的にはＡ駅から青山一丁駅までの区間は着席するのは困難で、Ｃ駅からＤ駅までの区間は多少着席しやすくなり、Ｄ駅からＧ駅までは着席できる可能性が高いことがわかる。図１２の出力情報は、いつも決まった時間に乗車するユーザに対して、別の時間帯の着席度合いを提供する目的でも利用可能である。これにより、ユーザは、自分で実際に乗車しなくても、最適な時間帯を簡易かつ迅速に検索できる。
【００６８】
図１２の出力情報では、車両ごとの着席可否情報は把握できないため、図１１の出力情報と図１２の出力情報とを任意に切り替えて端末装置２の表示画面に表示させることができるようにしてもよい。
【００６９】
図１３は出力情報の第２応用例を示す図である。図１３の出力情報は、端末装置２のユーザが路線のみを指定する例を示している。この場合の出力情報には、端末装置２のユーザが同じ路線を利用した過去の移動状況情報が、現在から近い順に複数表示される。移動する方向が逆の方向であっても、時間順に表示される。
【００７０】
また、図１３の出力情報には、各駅に対応づけて、上り路線と下り路線のそれぞれについての着席可否情報を一目で把握可能な円マーク３２が設けられている。これらの円マーク３２の上半分は上り路線の着席可否情報を示し、円マーク３２の下半分は下り路線の着席可否情報を示している。図１３の円マーク３２は、上半分と下半分のそれぞれについて、座れる可能性が高いことを示す表示形態３２ａ、座れる可能性が低いことを示す表示形態３２ｂ、および着席可否を判断できないことを示す表示形態３２ｂのいずれかで表示されている。
【００７１】
なお、図１３では、各駅に対応づけて円マーク３２を設けているが、各駅間に対応づけて円マーク３２を設けてもよい。また、マークの具体的な形状は、円形には限定されず、多角形等の他の形状でもよい。
【００７２】
図１３の出力情報によれば、Ｄ駅では、上り路線も下り路線も着席できる可能性が高いことがわかる。
【００７３】
図１３の出力情報は、帰りの着席度合いを事前に把握できるという利点がある。また、各駅に対応づけた円マーク３２により、上り路線と下り路線の着席度合いを一目で把握できる。
【００７４】
図１４は出力情報の第３応用例を示す図である。図１４の出力情報は、図４および図５の少なくとも一方のログ情報データベース２６に基づいて生成されるものであり、横軸方向には駅名が記載され、縦軸方向には各駅および駅間での着席状況が棒グラフで図示されている。縦軸の上側半分は、着席した回数を棒グラフ３３で示し、縦軸の下側半分は着席できなかった回数を棒グラフ３４で示している。
【００７５】
また、図１４の下方には、列車の車両を選択するスライドバー３５と、どの車両を選択しているかを示す車両番号マーク３６とが図示されている。このスライドバー３５を操作入力部１２で操作することで、任意の車両を選択でき、選択した車両についての着席状況が棒グラフ３３，３４で表示される。例えば、図１４の例では、２番目の車両についての着席状況が棒グラフで示されている。この車両では、Ａ駅からＣ駅までの区間では着席できる頻度が少なく、Ｃ駅からＧ駅までの区間では着席できる頻度が高いことがわかる。
【００７６】
図１４の出力情報は、列車に乗車する時間帯を考慮に入れておらず、一日を通しての平均的な着席状況を棒グラフで示している。よって、必要に応じて、図１２の出力情報と切り替えて表示できるようにするのが望ましい。
【００７７】
このように、本実施形態では、交通機関経路を端末装置２の所持者が移動する際の移動状況情報を取得してログ情報としてサーバ３内のログ情報データベース２６に格納しておき、ユーザの要求に基づく経路を指定したユーザから移動状況情報の表示要求があると、ユーザの要求に基づく経路の情報と移動状況情報とを関連付けた出力情報をサーバ３で生成して端末装置２に送信する。これにより、ユーザは、交通機関の乗物に乗車する前に、過去の移動状況情報を把握でき、着席しやすい等の最適な乗物を的確に選択することができる。
【００７８】
また、サーバ３内でログ情報を分析した移動状況分析情報を生成すれば、端末装置２に対して推奨情報を提供でき、ユーザはどの乗物に乗るべきかを事前に正確に把握でき、ユーザの利便性が向上する。
【００７９】
（第２の実施形態）
上述した第１の実施形態では、移動状況情報に含まれる着席可否情報を主に利用して、着席できるか否かを示す情報を含む出力情報を生成する例を説明したが、移動状況情報には、上述したように、姿勢情報の他に、種々の生体情報や環境情報を含めることが可能なため、着席できるか否かを示す情報以外の情報を含む出力情報を生成することも可能である。
【００８０】
例えば、車両内の温度および湿度が上昇し、乗客の不快感が増す傾向にある。このため、端末装置２または車両内に温度センサや湿度センサが設けられている場合、これらのセンサによって温度や湿度を測定し、測定した温度や湿度を移動状況情報に含めて、ログ情報としてサーバ３に送信してもよい。
【００８１】
温度および湿度の少なくとも一つに関する情報を出力情報に含める際には、この情報を複数段階に分けて、各段階ごとに異なるアイコンで表示してもよい。
【００８２】
また、車両内の環境変化によって乗客の不快感は増すことがあり、その場合は乗客の脈拍が早くなったり、呼吸が乱れたり、体温が上昇したり、発汗したりする。よって、端末装置２やその他のウェアラブル端末等によって、乗客の脈拍や呼吸、体温、発汗等の生体情報を検知できる場合には、検知した生体情報を移動状況情報に含めて、ログ情報としてサーバ３に送信してもよい。この生体情報を出力情報に含める際には、例えば生体情報を複数段階に分けて、各段階ごとに異なるアイコンで表示してもよい。
【００８３】
さらに、天候などの乗物の外部における環境情報を移動状況情報に含めることも可能である。天候情報は、端末装置２が基地局等と通信を行うことで、容易に取得可能である。あるいは、サーバ３が天候情報を取得してもよい。雨の日に列車をプラットホームで待つ場合、プラットホームの全体に屋根があるとは限らないため、屋根がある場所にユーザを案内するのが望ましい。よって、サーバ３は、雨の日であることがわかると、屋根がある場所に対応した車両位置を推奨情報として出力情報に含めることが考えられる。
【００８４】
また、雨の日は、屋根がある場所に人間が集中するため、その場所に近い車両は着席しづらいことが予想される。よって、雨の日には、晴れの日とは異なる車両、すなわち雨の日に着席しやすい席を推奨情報として提供してもよい。
【００８５】
移動状況情報に含めることが可能な天候情報は、天気だけではなく、風や日差しの強弱なども考えられる。例えば、風が強い日には、風よけのある場所を推奨情報として提供してもよい。また、日差しが強い場合には、日よけのある場所を推奨情報として提供してもよい。
【００８６】
このように、第２の実施形態では、必要に応じて生体情報や環境情報を移動状況情報に含めることで、ユーザの要求に基づく経路を指定したユーザに対して最適な推奨情報を提供でき、ユーザの利便性がさらに向上する。
【００８７】
（第３の実施形態）
上述した第１および第２の実施形態で説明したように、サーバ３内の出力情報生成部２８は、ユーザの要求に基づく経路の情報とユーザの移動状況情報とを関連づけた出力情報を生成する。ユーザの要求は、例えば、単に過去の日にちのみを指定するものでもよい。この場合、サーバ３は、各ユーザごとに、日にちと関連づけて、各ユーザの移動状況情報をログ情報データベース２６に格納しておく。そして、ユーザが特定の日にちを指定すると、サーバ３内の出力情報生成部２８は、その日にちにおけるユーザの移動状況情報をログ情報データベース２６から読み出して、出力情報を生成する。図１５は、この場合の出力情報の一例を示す図である。図１５の例では、ユーザが指定した２０１４年６月１６日に、ユーザが交通機関を使って移動１と移動２を行い、移動１と移動２の移動時間、移動経路および着席可否情報を出力情報に含める例を示している。
【００８８】
このように、ユーザが過去の特定の日にちを指定すれば、その日にちにおけるユーザの移動状況情報を出力情報として提供することにより、ユーザは過去を振り返ることができ、その日付に関連した出来事を思い出す手がかりとして出力情報を利用できる。
なお、ユーザの要求は、日にちだけでもよいし、日にちとユーザ属性とを組み合わせたものでもよい。ユーザ属性とは、例えば、行き先や経路、性別や年齢などのユーザ固有の任意の情報である。日にちとユーザ属性とを組み合わせた要求は、他のユーザの移動環境情報を取得する際に有用である。例えば、ユーザと同じユーザ属性の他のユーザの移動状況情報に絞り込んで取得することができるので、ユーザと似た属性（例えば、年配の男性）の他のユーザの情報に絞り込んで取得することができ、他のユーザの移動状況情報を有効に利用して出力情報を生成できる。
【００８９】
上述した実施形態で説明した情報処理システム１の少なくとも一部は、ハードウェアで構成してもよいし、ソフトウェアで構成してもよい。ソフトウェアで構成する場合には、情報処理システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００９０】
また、情報処理システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００９１】
さらに、１または複数の情報処理装置によって情報処理システム１を機能させてもよい。複数の情報処理装置を用いる場合、情報処理装置のうちの１つをコンピュータとし、当該コンピュータが所定のプログラムを実行することにより情報処理システム１の少なくとも１つの手段として機能が実現されてもよい。
【００９２】
上記の記載に基づいて、当業者であれば、本発明の追加の効果や種々の変形を想到できるかもしれないが、本発明の態様は、上述した個々の実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００９３】
１  情報処理システム、２  端末装置、３  サーバ、４  ネットワーク、１１  通信部、１２  操作入力部、１３  出力部、１４  測位部、１５  経路情報取得部、１６  移動状況情報取得部、１７  制御部、２１  通信部、２２  記憶部、２３  制御部、２４  地図データベース、２５  交通関連情報データベース、２６  ログ情報データベース、２７  移動状況分析情報データベース、２８  出力情報生成部、２９  推奨情報生成部、３０  移動状況分析部
【図１】
0006505385.tif 000002
【図２】
0006505385.tif 000003
【図３】
0006505385.tif 000004
【図４】
0006505385.tif 000005
【図５】
0006505385.tif 000006
【図６ａ】
0006505385.tif 000007
【図６ｂ】
0006505385.tif 000008
【図７】
0006505385.tif 000009
【図８】
0006505385.tif 000010
【図９】
0006505385.tif 000011
【図１０】
0006505385.tif 000012
【図１１】
0006505385.tif 000013
【図１２】
0006505385.tif 000014
【図１３】
0006505385.tif 000015
【図１４】
0006505385.tif 000016
【図１５】
0006505385.tif 000017